(57)【要約】【課題】  通路部に設けた防水扉の起立状態で人が防水扉を容易に乗り越えて通路部から出入りできる防水扉装置を提供する。【解決手段】  通路部に収納凹部２を設け、収納凹部２に凹部開口を塞ぐ防水扉８を通路部からの水侵入を防止するように起立可能に設け、防水扉８の起立状態で防水扉８の両側に扉高さの中間部に位置する足掛け部材４０、４１を突設し、防水扉８の起立状態で人が足掛け部材４０、４１に足を掛けて防水扉８を乗り越え可能にしてあり、防水扉８の横向き状態においては、足掛け部材４０、４１を防水扉８の下方の収納凹部２に収納可能にしてある。【選択図】  図９
2005133290.tif 000002
【特許請求の範囲】
【請求項１】
地下空間等への水侵入可能な通路部の下面に収納凹部を設け、その収納凹部に凹部開口を塞ぐ横向き位置の防水扉を縦向き位置へ起立可能に設け、防水扉を起立状態にして通路部からの水侵入を防止するようにした防水扉装置において、防水扉の起立状態において防水扉の両側に扉高さの中間部に位置する足掛け部材を夫々突設し、防水扉の起立状態で人が足掛け部材に足を掛けて防水扉を乗り越え可能にし、防水扉の横向き状態において足掛け部材を防水扉より下方に収納可能にした防水扉装置。
【請求項２】
防水扉の横向き状態において下側となる防水扉の裏側に足掛け部材を防水扉の裏面に沿う状態と防水扉の裏面から張出す状態とに回動可能に枢着し、防水扉の横向き状態において上側となる防水扉の表側に足掛け部材を防水扉に対して離脱可能に設け、その足掛け部材を防水扉の横向き状態において防水扉下方の収納凹部に収納可能に設けた請求項１記載の防水扉装置。
【請求項３】
平板状の防水板の下面に曲がり防止用の複数本のリブを縦横に夫々所定間隔で固着して防水扉を設け、収納凹部に防水扉の横向き状態において各リブを支持する支持壁を設けた請求項１又は２に記載の防水扉装置。
【請求項４】
防水扉の裏側に足掛け部材を縦横の各リブで囲まれる空間に少なくとも足掛け部材の一部が収納されるように設けた請求項３に記載の防水扉装置。
【請求項５】
防水扉の表側に離脱可能に設けた足掛け部材を縦横の各リブで囲まれる空間に少なくとも足掛け部材の一部が収納されるように設けた請求項３又は４に記載の防水扉装置。
【請求項６】
起立状態の防水扉の上端部に引掛けて固定する取付具を設け、その取付具に防水扉の表面に対して張出す足掛け部材を設け、その足掛け部材と取付具を防水扉の横向き状態で防水扉下方の収納凹部に収納可能に設けた請求項５記載の防水扉装置。
【請求項７】
足掛け部材を設ける位置の近傍において防水扉に上方へ立上がる把手部材を着脱可能に設け、その把手部材を防水扉の横向き状態において防水扉下方の収納凹部に収納可能に設けた請求項１又は２記載の防水扉装置。
【請求項８】
防水扉の起立状態において防水扉の両側に防水扉に近接させて設置する積層可能な複数の足踏台によって足掛け部材を構成し、それらの足掛け部材を防水扉の横向き状態において防水扉下方の収納凹部に収納可能に設けた請求項１記載の防水扉装置。
【請求項９】
防水扉の起立状態において防水扉の両側で夫々防水扉に立て掛けて固定する伸縮可能な梯子によって足掛け部材を構成し、それらの足掛け部材を防水扉の横向き状態において防水扉下方の収納凹部に収納可能に設けた請求項１記載の防水扉装置。
【発明の詳細な説明】
【技術分野】
【０００１】
本発明は、集中豪雨や洪水等の際に建物や駐車場や地下街等の建造物の通路部を閉鎖して水の流入を防止するようにした防水扉装置に関する。
【背景技術】
【０００２】
従来、この種の防水扉装置として特許文献１〜４等に記載のものが提案されている。特許文献１に記載のものは、収容凹部体の端部に防水扉の基部を起倒可能に枢着し、収容凹部体と防水扉の元部との間に隙間を塞ぐ補助扉と補助蓋を設け、扉本体を傾倒位置から起立位置にすると、補助扉と補助蓋が押し上げられるようにしてある。
特許文献２に記載のものは、固定側プレートの頂部のガイドピンを防水扉の可動側プレートの屈曲ガイド溝孔に挿入すると共に固定側プレートの下部と可動側プレートの上部とをリンクで連結して蝶番を構成し、その蝶番により防水扉の元部側を収納凹部体に起倒可能に枢着し、防水扉の起立時に防水扉が先端側へ移動された後防水扉元部側へ移動されて収納凹部体と防水扉の干渉を防ぐようにしてある。
【０００３】
特許文献３に記載のものは、固定ベースに設けたガイド孔に防水扉に設けた可動ベースのガイドロッドを係合すると共に固定ベース下方と可動ベース上部とをリンクで連結してヒンジ装置を構成し、そのヒンジ装置により防水扉の基部側を枢支し、防水扉の起立時に防水扉が防水扉基部側へ移動した後防水扉基部側へ移動されるようにしてある。特許文献４に記載のものは、一端が防水扉の突部に他端が収納凹部体に枢着される枢動リンクと揺動リンクとから回動支持機構を構成し、その回動支持機構で防水扉を枢着し、防水扉の起立時に防水扉を収納凹部体側壁から離反させた後収納凹部体側壁に接近させるようになっている。特許文献５に記載のものは、防水扉を収納凹部体にリンクプレートで揺動可能に枢支し、防水扉の起立時に防水扉が後方へ移動された後前方へ移動されて収納凹部体と防水扉の干渉を防ぐようになっている。
【０００４】
【特許文献１】特開平７−２６９２４２号公報
【特許文献２】特公平７−１１２１０号公報
【特許文献３】特開平１０−１８６７８号公報
【特許文献４】特開平１１−２５６９１３号公報
【特許文献５】特開２００１−２５４５６３号公報
【発明の開示】
【発明が解決しようとする課題】
【０００５】
特許文献１のものは、防水扉の基部と収容凹部体の側壁の間に適当な隙間を設け、その隙間を閉鎖する補助扉と補助蓋を設け、防水扉の起立時に防水扉と収容凹部体が干渉しないようにしてあるが、防水扉が起立した状態では、防水扉の高さが例えば１ｍ程度以上に高くなると、その防水扉を人が乗り越えることが困難であり、防水扉で防水された内側の人が防水扉位置を通過して家路についたりより安全な所に避難したりすることができないし、防水扉で防水された外側の人が防水扉の内側へ避難することもできない問題がある。
また、特許文献２〜５のものは、何れも防水扉と収容凹部体を枢支する蝶番やヒンジ装置によって、防水扉の起立時に防水扉を一時的に後方へ移動させて収納凹部体と防水扉の干渉を防ぐようになっているが、特許文献１のものと同じく、防水扉が起立した状態では、防水扉の高さが例えば１ｍ程度以上に高くなると、その防水扉を人が乗り越えることが困難であり、防水扉で防水された内側の人が防水扉位置を通過して家路についたりより安全な所に避難したりすることができないし、防水扉で防水された外側の人が防水扉の内側へ避難することもできない問題がある。
本発明が解決しようとする課題は、防水扉の起立状態において、防水扉の高さが例えば１ｍ程度以上に高くても、防水扉を人が足掛け部材を用いて容易に乗り越えることができ、防水扉の横向き状態において、足掛け部材を防水扉より下方に収納でき、防水扉の上面を安全に利用できる防水扉装置を提供することにある。
【課題を解決するための手段】
【０００６】
本願の請求項１の発明は、前記課題を解決するために、起立状態の防水扉を容易にかつ安全に乗り越えることができるようにした防水扉装置を提供しようとするもので、地下空間等への水侵入可能な通路部の下面に収納凹部を設け、その収納凹部に凹部開口を塞ぐ横向き位置の防水扉を縦向き位置へ起立可能に設け、防水扉を起立状態にして通路部からの水侵入を防止するようにした防水扉装置において、防水扉の起立状態において防水扉の両側に扉高さの中間部に位置する足掛け部材を夫々突設し、防水扉の起立状態で人が足掛け部材に足を掛けて防水扉を乗り越え可能にし、防水扉の横向き状態において足掛け部材を防水扉より下方に収納可能にしたことを特徴とする。
また、請求項２の発明は、請求項１において、防水扉の横向き状態において下側となる防水扉の裏側に足掛け部材を防水扉の裏面に沿う状態と防水扉の裏面から張出す状態とに回動可能に枢着し、防水扉の横向き状態において上側となる防水扉の表側に足掛け部材を防水扉に対して離脱可能に設け、その足掛け部材を防水扉の横向き状態において防水扉下方の収納凹部に収納可能に設けたことを特徴とし、請求項３の発明は、請求項１又は２において、平板状の防水板の下面に曲がり防止用の複数本のリブを縦横に夫々所定間隔で固着して防水扉を設け、収納凹部に防水扉の横向き状態において各リブを支持する支持壁を設けたことを特徴とする。
また、請求項４の発明は、請求項３において、防水扉の裏側に足掛け部材を縦横の各リブで囲まれる空間に少なくとも足掛け部材の一部が収納されるように設けたことを特徴とし、請求項５の発明は、請求項３又は４において、防水扉の表側に離脱可能に設けた足掛け部材を縦横の各リブで囲まれる空間に少なくとも足掛け部材の一部が収納されるように設けたことを特徴とする。
【０００７】
また、請求項６の発明は、請求項５において、起立状態の防水扉の上端部に引掛けて固定する取付具を設け、その取付具に防水扉の表面に対して張出す足掛け部材を設け、その足掛け部材と取付具を防水扉の横向き状態で防水扉下方の収納凹部に収納可能に設けたことを特徴とし、請求項７の発明は、請求項１又は２において、足掛け部材を設ける位置の近傍において防水扉に上方へ立上がる把手部材を着脱可能に設け、その把手部材を防水扉の横向き状態において防水扉下方の収納凹部に収納可能に設けたことを特徴としている。
また、請求項８の発明は、請求項１において、防水扉の起立状態において防水扉の両側に防水扉に近接させて設置する積層可能な複数の足踏台によって足掛け部材を構成し、それらの足掛け部材を防水扉の横向き状態において防水扉下方の収納凹部に収納可能に設けたことを特徴とし、請求項９の発明は、請求項１において、防水扉の起立状態において防水扉の両側で夫々防水扉に立て掛けて固定する伸縮可能な梯子によって足掛け部材を構成し、それらの足掛け部材を防水扉の横向き状態において防水扉下方の収納凹部に収納可能に設けたことを特徴としている。
【発明の効果】
【０００８】
本願の請求項１の発明では、防水扉の起立状態において防水扉の両側に扉高さの中間部に位置する足掛け部材を夫々突設し、防水扉の起立状態で人が足掛け部材に足を掛けて防水扉を乗り越え可能にし、防水扉の横向き状態において足掛け部材を防水扉より下方に収納可能にしたので、防水扉が起立した状態で防水扉の高さが例えば１ｍ程度以上に高くても、防水扉の両側に設けた足掛け部材に足を掛けることで人が防水扉を容易にかつ安全に乗り越えて迅速に避難できると共に、防水扉の横向き状態においては、足掛け部材を防水扉の下方の収納凹部に収納しておいて散逸を防止でき、しかも、防水扉の上を人等が安全に通行できる効果がある。
請求項２の発明では、防水扉の横向き状態において下側となる防水扉の裏側に足掛け部材を防水扉の裏面に沿う状態と防水扉の裏面から張出す状態とに回動可能に枢着し、防水扉の横向き状態において上側となる防水扉の表側に足掛け部材を防水扉に対して離脱可能に設け、その足掛け部材を防水扉の横向き状態において防水扉下方の収納凹部に収納可能に設けたので、収納凹部の深さを浅くして装置を小型化しても、足掛け部材の張出し量を大きくでき、防水扉の両側の足掛け部材に安全に足を掛けることができ、しかも、防水扉の横向き状態では、防水扉の上面から足掛け部材を無くすことができ、防水扉の上面を平坦にして美感を維持できると共に通行の安全を確保できる効果がある。
請求項３の発明では、平板状の防水板の下面に曲がり防止用の複数本のリブを縦横に夫々所定間隔で固着して防水扉を設け、収納凹部に防水扉の横向き状態において各リブを支持する支持壁を設けたので、防水扉を平板状の防水板とリブによって軽量かつ安価に製造できると共に、防水扉の傾倒状態で防水板の上に大きな荷重を作用させることができる効果がある。
請求項４の発明では、防水扉の裏側に足掛け部材を縦横の各リブで囲まれる空間に少なくとも足掛け部材の一部を収納するように設けたので、防水板の下方の各リブで囲まれる空間を裏側の足掛け部材の収納に利用でき、装置の収納凹部を浅くできて装置の小型化や低コスト化を図ることができる。
請求項５の発明では、防水扉の表側に離脱可能に設けた足掛け部材を縦横の各リブで囲まれる空間に少なくとも足掛け部材の一部が収納されるように設けたので、防水板の下方の各リブで囲まれる空間を表側の足掛け部材の収納に利用でき、装置の収納凹部を浅くできて装置の小型化や低コスト化を図ることができる。
【０００９】
請求項６の発明では、起立状態の防水扉の上端部に引掛けて固定する取付具を設け、その取付具に防水扉の表面に対して張出す足掛け部材を設け、その足掛け部材と取付具を防水扉の横向き状態で防水扉下方の収納凹部に収納可能に設けたので、防水扉の起立状態で防水扉の上端部に取付具を固定することで防水扉の表面に足掛け部材を容易に設置でき、また、防水扉を傾倒させる場合は、防水扉の上端部から取付具を外すことで防水扉の表面から足掛け部材を容易に無くすことができ、防水扉に対する足掛け部材の着脱を簡易迅速にできる。
請求項７の発明では、足掛け部材を設ける位置の近傍において防水扉に上方へ立上がる把手部材を着脱可能に設け、その把手部材を防水扉の横向き状態において防水扉下方の収納凹部に収納可能に設けたので、防水扉の起立状態で、人が足掛け部材に足を掛けて防水扉を乗り越える場合に、把手部材を持って容易にかつ安全に防水扉を乗り越えることができる。
請求項８の発明では、防水扉の起立状態において防水扉の両側に防水扉に近接させて設置する積層可能な複数の足踏台によって足掛け部材を構成し、それらの足掛け部材を防水扉の横向き状態において防水扉下方の収納凹部に収納可能に設けたので、防水扉の起立状態で、収納凹部に収納されている複数の足踏台を防水扉の両側に積層させることで足掛け部材を簡易迅速に設置することができ、また、防水扉の傾倒状態では、複数の足踏台を分けて防水扉下方の収納凹部に容易に収納できて足掛け部材の紛失を防止でき、しかも、足掛け部材の構成を簡易にかつ低コストにできる効果がある。
請求項９の発明では、防水扉の起立状態において防水扉の両側で夫々防水扉に立て掛けて固定する伸縮可能な梯子によって足掛け部材を構成し、それらの足掛け部材を防水扉の横向き状態において防水扉下方の収納凹部に収納可能に設けたので、防水扉の起立状態で、収納凹部に収納されている梯子を伸長させて防水扉の両側に設置することで、人が梯子を利用して防水扉を容易に乗り越えることができ、また、防水扉の傾倒状態では、梯子を縮小させて防水扉下方の収納凹部に容易に収納できて梯子の紛失を防止でき、長期に亘って保存できる。
【発明を実施するための最良の形態】
【００１０】
地下空間等への水侵入可能な通路部の下面に収納凹部を設け、その収納凹部に凹部開口を塞ぐ横向き位置の防水扉を縦向き位置へ起立可能に設け、防水扉を起立状態にして通路部からの水侵入を防止できるようにする。防水扉を起立させた状態では、防水扉の両側に扉高さの中間部に位置する足掛け部材を夫々突設しておき、防水扉の起立状態で人が足掛け部材に足を掛けて防水扉を乗り越え可能にする。防水扉を横向きにして収納する状態においては、足掛け部材を防水扉より下方の収納凹部に収納可能にする。防水扉の裏側には、足掛け部材を防水扉の裏面に沿う状態と防水扉の裏面から張出す状態とに回動可能に枢着しておき、防水扉の表側には、足掛け部材を防水扉に対して離脱可能に設けておき、その足掛け部材を防水扉の横向き状態において防水扉下方の収納凹部に収納する。防水扉は、平板状の防水板の下面に曲がり防止用の複数本のリブを縦横に夫々所定間隔で固着し、収納凹部に各リブを支持する支持壁を設けると、防水扉に大きな荷重が作用した際の防水扉の曲がりを防止できて好ましい。両方の足掛け部材は、縦横の各リブで囲まれる空間に少なくとも一部が収納されるように設けると良い。防水扉の表側の足掛け部材は、起立状態の防水扉の上端部に引掛けて固定する取付具に防水扉の表面に対して張出すように設けることで防水扉から容易に着脱することができる。防水扉には、足掛け部材を設ける位置の近傍に上方へ立上がる把手部材を着脱可能に設け、その把手部材を防水扉の横向き状態において防水扉下方の収納凹部に収納可能に設けると、把手部材を利用して防水扉を安全に乗り越えることができて好ましい。
【実施例】
【００１１】
第１実施例について図面を参照して説明する。図１〜９に示す防水扉装置１は、建物や駐車場や地下街等の出入口通路部の床面（下面）Ｆに形成された収納凹部２を備えている。収納凹部２は、通路部の横幅と略同じかそれよりも大きい横幅を有する矩形の浅い凹部であり、コンクリートや金属枠等で構成されている。収納凹部２の内周縁には縁枠２ａが設けられ、後述の閉塞板を支える位置には支持枠２ｂが設けられている。収納凹部２は、床面に形成された凹部に埋設された箱形の収納凹部体によって構成しても良い。収納凹部２には図示しない排水管が連結され、収納凹部２内に侵入した水を後でその排水管から排出するようにしてある。
出入口通路部の床面（下面）Ｆには、収納凹部２の一方側（図２の左側）の両端部近傍に、上方へ立上がる防水柱枠５が夫々設置されている。これらの防水柱枠５と収納凹部２の一方側の側壁には、パッキン部材６がコ字状に連続するように装着されている。
【００１２】
収納凹部２には、横向き状態で凹部開口の大部分を塞ぐ防水扉８と横向き状態で凹部開口の他の部分を塞ぐ３つの閉塞板９、１０、１１が配設されている。防水扉８は、収納凹部２の底部に固設された左右一対の枢支部材１３を介して起立状態に回動可能で、かつ、防水扉８の起立開始時に防水扉８の元部が一時的に防水扉８の先端方向へ移動されて収納凹部２の縁部と防水扉８とが干渉しないように設けてある。例えば、枢支部材１３は、両端部が収納凹部２の底部に固設された基枠１５と防水扉８の元部とに枢着されている揺動リンク１６によって構成され、その揺動リンク１６を後述の回転軸２３に設けた回転カム等を用いて防水扉８の起立開始時に防水扉３の先端方向へ一時的に移動させて収納凹部２と防水扉８が干渉しないようにしてある。防水扉８は、平板状の防水板８ａの下面に曲がり防止用の複数本のリブ８ｂ、８ｃを縦横に夫々所定間隔で固着して構成してある。この縦のリブ８ｂの相互間隔は例えば６０ｃｍに設定され、横のリブ８ｃの相互間隔は例えば４０ｃｍに設定されるが、防水板８ａの厚みや材質等によって任意に変更できる。３つの閉塞板９、１０、１１は、後述の起倒装置２０を点検したり補修したり手動操作したりするためのもので、図示しない枢支部材を介して開閉可能に枢着され、通常は悪戯によって開放されないように施錠されている。
なお、枢支部材１３は、特許文献２〜５等に記載の他のヒンジ部材で構成して、防水扉８の回転を利用して防水扉８の元部を防水扉８の先端方向へ一時的に移動させるようにしても良いし、特許文献１に記載の固定的な蝶番で構成して、収納凹部２の一方側の縁部と防水扉８の元部との間に干渉をさける隙間を設けても良い。
【００１３】
防水扉８は、収納凹部２に設置されている起倒装置２０により横向き状態の傾倒位置（図３）と起立状態の縦向き位置（図４）とに起倒可能に設けられている。起倒装置２０は、例えば、収納凹部２の底部に固設された基枠１５に設けた軸受２２によって回転自在に支承されている回転軸２３と、回転軸２３を正逆回転させる電動モータ２４と、回転軸２３の両端に間隔をあけて回動自在に嵌合されている２本の支持アーム２６と、支持アーム２６の先端部に中間軸２７を介して回動可能に設けると共に先端部に防水扉８の先端部のピン２８に連結する長孔２９を設けた回動アーム３０と、回動アーム３０に中間軸２７と同心に固着した従動ホイール３１と、回転軸２３に固着した駆動ホイール３２と、従動ホイール３１と駆動ホイール３２に懸回した無端チェーン３３とで構成され、回転軸２３の正転により駆動ホイール３２が回動すると、無端チェーン３３、従動ホイール３１を介して回動アーム３０を回動させ、回動アーム３０の先端部によって防水扉３の先端部を上方へ揺動させると共に支持アーム２６を引上げ、また、回転軸２３の逆転により防水扉８の先端部を下方へ揺動させるようになっている。
また、収納凹部２の底部には、防水扉８を起立させる方向へばね力を付勢する一対の付勢装置３４が設置され、起倒装置２０により防水扉８を起立させる初期の力が小さくて済むようにしてある。尚，起倒装置２０は、電動モータによってねじ軸が伸縮するアクチュエータを用いたものや、空気圧源によって作動するシリンダーやガス体によって膨張する袋体を用いたもの等で構成しても良い。また、電動モータ２４を省いて、入力軸３５に嵌合させる図示しない手動ハンドルによって回転軸２３を正逆回転させるものでも良い。
収納凹部２には、枢支部材１３と起倒装置２０と付勢装置３４を設置するための最小限の設置空間３７を残して、防水扉８のリブ８ａ，８ｂを支持するための支持壁３８がモルタルによって設けられている。
【００１４】
次に、防水扉８の両側である、防水扉８の横向き状態において下側となる防水扉８の裏側と防水扉８の横向き状態において上側となる防水扉８の表側とには、防水扉８の起立状態において扉高さの中間部に位置する足掛け部材４０、４１が夫々張出し可能に設けられ、防水扉８の起立状態で人が足掛け部材４０、４１に足を掛けて防水扉８を乗り越え可能にし、防水扉８の横向き状態において足掛け部材４０、４１を防水扉８の下方に収納可能に設けられている。
即ち、防水扉８の裏側には、一対の支持腕４３の先端側に足踏板４４を固着して成る足掛け部材４０の支持腕４３が枢支具４５を介して防水扉８の裏面に沿う状態と防水扉８の裏面から略直角に張出す状態とに回動可能に枢着されている。この足掛け部材４０は、枢支具４５を防水扉８裏側の縦横のリブ８ｂ、８ｃで囲まれる空間ｍの下端部に固着すると共に、足掛け部材４０の横幅寸法を略６０ｃｍ以内、長さ寸法を略４０ｃｍ以内に設け、足掛け部材４０の支持腕４３を防水扉８の裏面に沿う状態に回動させて折畳むことで、足掛け部材４０の厚さ方向の一部が空間ｍに収納されるようになっている。折畳み状態で足掛け部材４０が空間ｍから張出している部分は、収納凹部２内の支持壁３８に形成された部材収納凹部４７に収容され、支持壁３８と干渉しないようになっている。
折畳み状態の足掛け部材４０は、足踏板４４の縁部中央が防水扉８の裏側に設けられている係止具４８によって係止され、足掛け部材４０が防水扉８の裏側に対して固定的に保持されるようにしてある。係止具４８は、例えば、防水扉８の裏側に固着されたねじ軸４８ａに細長い係止片４８ｂの中央孔を遊嵌し、ねじ軸４８ａに蝶ナット４８ｃを螺合して構成され、係止片４８ｂを足踏板４４に係止した状態で蝶ナット４８ｃを人手によって締付けて係止片４８ｂを足踏板４４に押付けるようにしてある。
【００１５】
次に、防水扉８の表側には、足掛け部材４１が防水扉８に対して離脱可能に設けられている。この足掛け部材４１は、起立状態の防水扉８の上端部に引掛けて固定する取付具５０の下端部に、枢支具５２を介して防水扉８の表面に沿う状態と防水扉８の表面から略直角に張出す状態とに回動可能に枢着されている。取付具５０は、上端部が連結枠５３によって一体に連結されている一対の支持枠５４と下端部が連結枠５５によって一体に連結されている一対の支持枠５６とを伸縮可能に組み合わせて構成され、一対の支持枠５４の上端部に防水扉８の上端部に係止可能な鉤部５８が設けられ、一対の支持枠５４の下端部に鍔５９を有する一対の案内ピン６０が設けられている。鉤部５８には固定用の蝶ねじ６１が螺着されている。一対の支持枠５６の上端部には案内長孔６２が形成され、これらの案内長孔６２が一対の案内ピン６０に嵌合されると共に鍔５９により抜け止めされ、案内長孔６２と案内ピン６０によって一対の支持枠５４と一対の支持枠５６を伸縮させ得るようになっている。なお、支持枠５４と支持枠５６には曲げ防止用のリブ５４ａ、５６ａが設けられている。足掛け部材４１は、足掛け部材４０と同様に、一対の支持腕６４の先端側に足踏板６５を固着して構成され、一対の支持腕６４の元部が一対の支持枠５６の下端部に枢支具５２を介して防水扉８の表面に沿う折畳み状態と防水扉８の表面から略直角に張出す使用状態とに回動可能に枢着されている。
足掛け部材４１と取付具５０は、収縮させた状態での横幅寸法を略４０ｃｍ以内、長さ寸法を略６０ｃｍ以内に設け、防水扉８裏側の縦横のリブ８ｂ、８ｃで囲まれる空間ｎに横向きに納めることができ、折畳み状態で足掛け部材４１の厚み方向の一部が空間ｎに収納されるようになっている。折畳み状態で足掛け部材４１が空間ｎから張出している部分は、支持壁３８に形成された部材収納凹部６８に収容され、防水扉の横向き位置において支持壁３８と干渉しないようになっている。
【００１６】
折畳み状態の足掛け部材４１は、取付具５０の連結枠５３、５５が防水扉８の裏側に設けられている一対の係止具７０によって係止され、足掛け部材４１が防水扉８の裏側に対して固定的に保持されるようにしてある。係止具７０は、係止具４８と同じく、防水扉８の裏側に固着されたねじ軸７０ａに細長い係止片７０ｂの中央孔を遊嵌し、ねじ軸７０ａに蝶ナット７０ｃを螺合して構成され、係止片７０ｂを連結枠５３、５５に係止した状態で蝶ナット７０ｃを人手によって締付けて係止片７０ｂを連結枠５３、５５に押付けるようにしてある。
なお、前記部材収納凹部４７、６８は、折畳み状態の足掛け部材４０、４１の嵩張りを小さくしたり、リブ８ｂ、８ｃの高さを大きくすることで省くことも可能である。また、足掛け部材４０、４１の収納は、収納凹部２の他の余裕空間を利用して行なうようにしても良い。
【００１７】
また、起立状態の防水扉８には、足掛け部材４０，４１を設ける位置の近傍において防水扉８の上端部から上方へ立上がる把手部材７２が着脱可能に設けられている。把手部材７２は、上端部に横向きの把手７３を有する支柱７４の下端部に嵌合部材７５を固着し、その嵌合部材７５に起立状態の防水扉８の上端部に嵌合可能な嵌合溝７５ａを設けると共に側方へ張出す支承部７６を設け、支承部７６のボルト孔７６ａに蝶ボルト７７を螺合し、蝶ボルト７７の先端部に防水扉８のリブ８ｃに係止可能な細長い係止片７８の中心部を回動自在に保持させて構成してある。把手部材７２は、嵌合部材７５の嵌合溝７５ａを防水扉８の上端部に嵌合させると共に係止片７８をリブ８ｃに係止させた後蝶ボルト７７を締付けることで、防水扉８の上端部に固定することができる。また、把手部材７２は、防水扉８の横向き状態において防水扉８の下方の収納凹部２に収納可能に設けてある。例えば、把手部材７２の長さを略４０ｃｍ以内、横幅を略８ｃｍに設け、足掛け部材４０を収納した防水扉８裏側のリブ８ｂ、８ｃで囲まれる空間ｍに収納できるようにしてある。把手部材７２は防水扉８の裏側に固着したばね板から成る係止具８０によって着脱可能に保持されている。
【００１８】
次に、上記のように構成した防水扉装置１の作動について説明する。防水扉装置１は、通常、防水扉８を収納凹部２の開口を閉塞する横向き状態の傾倒位置にしてあり（図３の状態）、この状態で防水扉８の上面を通路面として使用する。この場合、防水扉８は、その基部が収納凹部２の開口縁に近接して収納凹部２の開口を殆ど隙間なく塞いでいるので、防水扉８の上面を通路面として安全に使用できる。また、防水扉８は、防水板８ａの下面に固着されている縦横の複数本のリブ８ｂ、８ｃが収納凹部２に設けられている支持壁３８によって支持されているので、防水扉８の上を自動車等の重量物が通過するときでも防水扉８の防水板８ａが曲がるのを防止できる。
次に、大雨や津波等によって建物や駐車場や地下街等の出入口から浸水する恐れが発生した場合には、起倒装置２０の電動モータ２４を作動させ、防水扉８を横向き状態から起立状態に向けて回動させると共に、起立初期に防水扉８の基部８ｂを開口縁から一時的に遠ざけて開口縁との干渉を防止し、防水扉８の起立状態おいては防水扉８をパッキン６に水密に当接させて通路部からの浸水を防止する。
【００１９】
次に、防水扉８の起立状態においては、防水扉８の裏側に設けてある係止具４８の蝶ナット４８ｃを人手によって直接緩めることで係止片４８ｂによる足掛け部材４０の係止を外し、折畳み状態に保持されている足掛け部材４０を回動させて張出し状態にする。また、防水扉８の裏側に設けてある係止具７０の蝶ナット７０ｃを人手によって直接緩めることで係止片７０ｂによる足掛け部材４１の係止を外し、折畳み状態に保持されている足掛け部材４１と取付具５０を空間ｎから取出し、取付具５０の鉤部５８を防水扉８の上端部に係止させると共に取付具５０の支持枠５４と支持枠５６を伸長させ、また、足掛け部材４１を回動させて張出し状態にする。その結果、防水扉８の起立状態（防水可能状態）において、防水扉８の両側の扉高さの中間部位置に足掛け部材４０、４１が略水平に大きく張出した状態に保持される。また、把手部材７２の嵌合溝７５ａを防水扉８の上端部に嵌合させた後蝶ボルト７７を締付けて係止片７８をリブ８ｃに固定し、把手部材７２を防水扉８の上端部に固定的に立設する。
【００２０】
この状態で、例えば図４、図９における防水扉８の左側の通路部に浸水すると、防水扉８によって防水扉８の右側への浸水が防止され、防水扉８の右側に位置する通路部や建物や駐車場等に多くの人が安全に避難することができる。この場合、防水扉８で防水された防水扉８の右側にいる人が防水扉８を乗り越えて家路についたり他の場所に避難したり、或は、浸水している防水扉８の左側に残された人が防水扉８を乗り越えて防水扉８の右側に避難したりすることができると便利である。その場合、防水扉装置１においては、起立状態の防水扉８の両側に足掛け部材４０、４１が略水平に大きく張出した状態に保持されているので、人は足掛け部材４０、４１に足を掛けて防水扉８を容易にかつ安全に乗り越えることができる。また、婦女子であっても、防水扉８の上端部から立ち上がる把手部材７２を利用することで、防水扉８を安全にかつ楽に乗り越えることができる。
【００２１】
次に、浸水の惧れが解消されて防水扉８を通常の横向き状態にする場合には、防水扉８の裏側の足掛け部材４０を回動させて折畳み状態とした後、係止具４８の蝶ナット４８ｃを人手によって直接締付けて係止片４８ｂを足掛け部材４０に係止し、足掛け部材４０を折畳み状態に保持する。また、防水扉８の上端部から取付具５０を取外すと共に取付具５０の支持枠５４と支持枠５６を収縮させ、防水扉８の表側の足掛け部材４１を回動させて折畳み、折畳み状態の足掛け部材４１と取付具５０を防水扉８の裏側の空間ｎに位置させた状態で、係止具７０の蝶ナット７０ｃを人手によって直接締付けて係止片７０ｂを取付具５０に係止し、足掛け部材４１と取付具５０を折畳み状態に保持する。また、防水扉８の上端部から把手部材７２を取外し、防水扉８の裏側の空間ｎに係止具８０によって保持させる。その後、防水扉８を横向き位置の傾倒状態に回動させることで、足掛け部材４０、４１や把手部材７２が防水扉８の下側の収納空間２に収納され、散逸が防止される。足掛け部材４０、４１の設置や収納は、人手による係止具４８や係止具７０等の操作によって簡易迅速に行なうことができる。
【００２２】
次に、図１２、図１３は、足掛け部材の異なる実施態様を示すもので、足掛け部材４０Ａ、４１Ａは、防水扉８の起立状態において防水扉８の両側位置に防水扉８に近接させて設置する積層可能な複数の足踏台８５によって構成してある。それらの足掛け部材４０Ａ、４１Ａを構成する足踏台８５は、防水扉８の横向き状態において防水扉８の下方の収納凹部２に分離された状態で収納可能に設けてある。この場合、足踏台８５の高さは、例えば３段積みの場合１５ｃｍ程度にできるので、浅い収納凹部２に容易に収納することができる。また、防水扉８の縦向き位置においては、収納凹部２から複数の足踏台８５を取出して防水扉８の両側の近接位置に積重ねて設置することで、簡易迅速に足掛け部材４０Ａ、４１Ａを設置でき、足踏台８５に足を掛けて防水扉８を容易に乗り越えることができる。各足踏台８５は底部に下側の足踏台８５の頭部８５ａが嵌合する嵌合部８５ｂを設け、積重ねた各足踏台８５が横ずれしないようにしてある。
【００２３】
次に、図１４、図１５は、足掛け部材の異なる実施態様を示すもので、足掛け部材４０Ｂ、４１Ｂは、防水扉８の起立状態において防水扉８の両側で夫々防水扉８に立て掛けて固定する伸縮可能な梯子８７によって構成してある。それらの足掛け部材４０Ｂ、４１Ｂを防水扉８の横向き状態において防水扉８下方の収納凹部２に収縮状態で収納可能に設けてある。この場合、梯子８７は、脚足８９を伸長させた状態で上端部を防水扉８の上端部に係止すると共に下端部を収納凹部２の支持壁３８や通路部の床面Ｆに載置する。その結果、梯子８７を防水扉８の両側に斜めに配置でき、梯子８７の脚足８９に設けた踏板８８に足を掛けて防水扉８を容易に乗り越えることができる。梯子８７は、脚足８９が抜き差しによって分離可能な複数の脚棒８９ａによって連結して構成してあり、防水扉８の横向き状態においては、脚足８９の脚棒８９ａを分離して短く収縮可能であり、短くした状態で収納凹部２に容易に収納することができるようにしてある。足掛け部材４０Ｂ、４１Ｂは、図では一体に設けてあるが、別々に分離して設けても良い。また、収納凹部２に収納可能であれば収縮しない一体的な梯子でも良い。
【図面の簡単な説明】
【００２４】
【図１】本発明の防水扉装置の平面図である。
【図２】図１の防水扉を省略して示す防水扉装置の平面図である。
【図３】図２の一部を省略して示すＡ−Ａ線拡大断面図である。
【図４】図３の防水扉を起立状態にした断面図である。
【図５】図４の矢視Ｂの拡大図である。
【図６】図５のＣ―Ｃ線拡大断面図である。
【図７】防水扉の表側に設ける足掛け部材の使用状態を示す側面図である。
【図８】図７の足掛け部材の正面図である。
【図９】防水扉の両側に設けた足掛け部材の使用状態を示す断面図である。
【図１０】把手部材を示す断面図である。
【図１１】把手部材を示す正面図である。
【図１２】足掛け部材の異なる実施態様を示す断面図である。
【図１３】図１２の足掛け部材の収納状態を示す断面図である。
【図１４】足掛け部材の他の異なる実施態様を示す説明図である。
【図１５】図１４の足掛け部材の収納状態を示す説明図である。
【符号の説明】
【００２５】
１    防水扉装置
２    収納凹部
８    防水扉
８ａ  防水板
８ｂ  リブ
８ｃ  リブ
４０  足掛け部材
４１  足掛け部材
ｎ    空間
ｍ    空間
３８  支持壁
５０  取付具
７２  把手部材
８５  足踏台
８７  梯子
【図１】
2005133290.tif 000003
【図２】
2005133290.tif 000004
【図３】
2005133290.tif 000005
【図４】
2005133290.tif 000006
【図５】
2005133290.tif 000007
【図６】
2005133290.tif 000008
【図７】
2005133290.tif 000009
【図８】
2005133290.tif 000010
【図９】
2005133290.tif 000011
【図１０】
2005133290.tif 000012
【図１１】
2005133290.tif 000013
【図１２】
2005133290.tif 000014
【図１３】
2005133290.tif 000015
【図１４】
2005133290.tif 000016
【図１５】
2005133290.tif 000017